(57)【要約】      （修正有）【課題】ＤＣ／ＤＣ変換器の保護動作を最適にする。【解決手段】本発明の電気機器は、複数の太陽電池ストリング１と、直流電力を昇圧するＤＣ／ＤＣ変換回路６を備え、ＤＣ／ＤＣ変換回路６の出力を単一の直流ライン２３ａ、２３ｂに出力し、直流ラインに出力されたＤＣ／ＤＣ変換回路６の出力を交流電力への変換に供せるように構成する。ＤＣ／ＤＣ変換回路６の太陽電池ストリング側の電気的な複数の入力情報のうち少なくともいずれか１つの入力情報が、当該入力情報毎に予め定められた値を超えた場合に、ＤＣ／ＤＣ変換回路６の昇圧動作を停止させると共に、ＤＣ／ＤＣ変換回路６の直流ラインへの出力に起因する電気的な複数の出力情報のうち少なくともいずれか１つの出力情報が、当該出力情報毎に予め定められた値を超えた場合に、全てのＤＣ／ＤＣ変換回路６の昇圧動作を停止させる。【選択図】図１
2018102080.tif 000002
【特許請求の範囲】
【請求項１】
複数の太陽電池ストリングと、太陽電池で発電された直流電力を昇圧するＤＣ／ＤＣ変
換回路を前記複数の太陽電池ストリング毎にそれぞれ備えるか、または太陽電池で発電さ
れた直流電力を昇圧するＤＣ／ＤＣ変換回路を前記複数の太陽電池ストリングのいくつか
に備え、少なくとも１つ以上の前記ＤＣ／ＤＣ変換回路の出力を単一の直流ラインに出力
すると共に、前記直流ラインに出力された前記ＤＣ／ＤＣ変換回路の出力を交流電力への
変換に供せるように構成した電気機器において、
前記ＤＣ／ＤＣ変換回路の前記太陽電池ストリング側の電気的な複数の入力情報のうち
少なくともいずれか１つの入力情報が当該入力情報毎に予め定められた値を超えた場合に
当該入力情報に対応する前記ＤＣ／ＤＣ変換回路の昇圧動作を停止させると共に、前記Ｄ
Ｃ／ＤＣ変換回路の前記直流ラインへの出力に起因する電気的な複数の出力情報のうち少
なくともいずれか１つの出力情報が当該出力情報毎に予め定められた値を超えた場合に全
ての前記ＤＣ／ＤＣ変換回路の昇圧動作を停止させる制御部を備えることを特徴とする電
気機器。
【請求項２】
前記電気的な複数の入力情報は、少なくとも前記ＤＣ／ＤＣ変換回路の入力電圧、前記
ＤＣ／ＤＣ変換回路の入力電流のいずれか一つであることを特徴とする請求項１に記載の
電気機器。
【請求項３】
前記電気的な複数の出力情報は、少なくとも前記直流ラインの直流電圧、温度のいずれ
か１つであることを特徴とする請求項１または請求項２に記載の電気機器。
【請求項４】
前記制御部は、前記温度を検知する温度センサの異常を検知した場合に全ての前記ＤＣ
／ＤＣ変換回路の昇圧動作を停止させることを特徴とする請求項３に記載の電気機器。
【請求項５】
前記ＤＣ／ＤＣ変換回路の接続されていない太陽電池ストリングの出力は前記直流ライ
ンに供給されることを特徴とする請求項４に記載の電気機器。
【発明の詳細な説明】
【技術分野】
【０００１】
本発明は、太陽電池パネルを複数枚接続して構成した複数の太陽電池ストリングの出力
を単一の出力にまとめた後、系統と連系可能な交流電力に変換する変換回路へこの出力を
供給可能とする電気機器に関するものである。
【背景技術】
【０００２】
太陽電池で発電された電力を交流電力に変換するシステムは、少なくとも、複数の太陽
電池パネルを直並列状に接続して構成した太陽電池ストリングと、この太陽電池ストリン
グの発電電力が最大に成るように昇圧比が制御されるＤＣ／ＤＣ変換回路と、このＤＣ／
ＤＣ変換回路の出力を系統と連系可能な交流電力に変換するＤＣ／ＡＣ変換回路とを備え
て構成されている。
太陽電池の発電電力は日射量によって左右されるので、太陽電池を全て直並列に接続し
て単一の太陽電池ストリングで構成するより、複数の太陽電池ストリングに分割して構成
した方が日射量の変化（主に日陰）による発電電力の減少が少なくて済むことが知られて
いる。
このようなシステムでは太陽電池ストリング毎にＤＣ／ＤＣ変換回路を対応させて、太陽
電池ストリング毎の発電電力が最大に成るように制御されている。一方、コストパフォー
マンスを考慮するといくつかのＤＣ／ＤＣ変換回路を省略するシステムも考えられている
。
【０００３】
ＤＣ／ＤＣ変換回路は半導体のスイッチング素子を用いていれば、このスイッチング素
子の容量に起因して定格出力が設定されている。太陽電池ストリングの発電電力がこの定
格出力を超えないように動作する保護装置が特許文献１に記載されていた。
【先行技術文献】
【特許文献】
【０００４】
【特許文献１】特開２００３−２８４３５５号公報
【発明の概要】
【発明が解決しようとする課題】
【０００５】
特許文献１に記載されたものは、インバータ（太陽電池が出力する直流出力を交流出力
に変換する装置）への入力電流値を監視し、太陽電池の出力電流値がインバータの定格入
力電流値より大きくなった場合に、発電を停止する等の保護を行っているものであった。
この際、入力電流値を監視する入力電流センサを省略するために、インバータの出力電圧
と出力電流とから演算される出力電力がインバータの入力電力（太陽電池の発電電力）に
等しいことを用い、この出力電力をインバータの入力電圧で除算して入力電流を求めるも
のであった。
【０００６】
日射量の低下時に太陽電池の発電出力が低下することを考量して、インバータの定格出
力より大きな発電出力となるように太陽電池パネルの枚数を多くする過積載が行われてい
る。このような場合、日射量の変動が速い場合、特許文献１に記載の保護装置では演算プ
ロセスが増える分、保護動作の応答が間に合わない場合があった。また、ＤＣ／ＤＣ変換
回路の出力電圧、出力電流を直接用いて応答速度を上げようとした場合、ＤＣ／ＤＣ変換
回路に用いられる平滑用のコンデンサが出力電圧の変動速度を遅くするため応答速度の改
善には至らないものであった。
一方、平滑用のコンデンサで安定化された出力電圧を測定した場合、出力電圧の変動に
対する測定の応答速度は遅くてもよいためＣ．Ｔ．（カレントトランス）等の汎用の測定
器を用いることができるが、前述のように応答速度が遅いため、ゆっくりと異常状態に移
行する状態情報を検知するために用いられていた。
【０００７】
また、複数の太陽電池ストリングを用いた場合は、複数のＤＣ／ＤＣ変換回路の保護動
作をＤＣ／ＤＣ変換回路の出力電圧（ＤＣ／ＡＣ変換回路の入力電圧）で行った場合、異
常時にはすべてのＤＣ／ＤＣ変換回路が保護動作に至り太陽電池の発電出力の有効活用が
図れないものであった。
【課題を解決するための手段】
【０００８】
本発明の電気機器は、複数の太陽電池ストリングと、太陽電池で発電された直流電力を
昇圧するＤＣ／ＤＣ変換回路を前記複数の太陽電池ストリング毎にそれぞれ備えるか、ま
たは太陽電池で発電された直流電力を昇圧するＤＣ／ＤＣ変換回路を複数の太陽電池スト
リングのいくつかに備え、少なくとも１つ以上のＤＣ／ＤＣ変換回路の出力を単一の直流
ラインに出力すると共に、直流ラインに出力されたＤＣ／ＤＣ変換回路の出力を交流電力
への変換に供せるように構成した電気機器において、ＤＣ／ＤＣ変換回路の太陽電池スト
リング側の電気的な複数の入力情報のうち少なくともいずれか１つの入力情報が当該入力
情報毎に予め定められた値を超えた場合に当該入力情報に対応するＤＣ／ＤＣ変換回路の
昇圧動作を停止させると共に、ＤＣ／ＤＣ変換回路の直流ラインへの出力に起因する電気
的な複数の出力情報のうち少なくともいずれか１つの出力情報が当該出力情報毎に予め定
められた値を超えた場合に全てのＤＣ／ＤＣ変換回路の昇圧動作を停止させる制御部を備
えることを特徴とするものである。
【発明の効果】
【０００９】
本発明の電気機器は、ＤＣ／ＤＣ変換回路の前後の電気的な情報に基づいて対応するＤ
Ｃ／ＤＣ変換回路、又は全てのＤＣ／ＤＣ変換回路の保護動作を行うものであり、情報に
応じて電気機器の出力が維持可能になるものである。
【図面の簡単な説明】
【００１０】
【図１】図１は、本発明の一実施形態を示す電気機器の説明図である。
【図２】図２は、ＤＣ／ＤＣ変換回路の１例を示す説明図である。
【図３】図３は、ＤＣ／ＡＣ変換回路の１例を示す説明図である。
【発明を実施するための形態】
【００１１】
図１は本発明の一実施形態を示す説明図である。この図において、複数の太陽電池パネ
ル（複数の太陽電池セルで構成）を直並列に接続して１つの太陽電池ストリング１を構成
し、同様に太陽電池ストリング２乃至太陽電池ストリング４からなる複数の太陽電池スト
リングを構成している。５は電気機器であり、主に太陽電池で発電された発電電力、例え
ば太陽電池ストリングで発電された発電電力を昇圧するＤＣ／ＤＣ変換回路６、ＤＣ／Ｄ
Ｃ変換回路７、開閉スイッチ８乃至開閉スイッチ１１、制御部１２を有している。
【００１２】
ＤＣ／ＤＣ変換回路６の入力側は開閉スイッチ８、接続端子を介して太陽電池ストリン
グ１へ接続され、太陽電池ストリング１の発電電力がＤＣ／ＤＣ変換回路６へ供給される
ように構成されている。開閉スイッチ８とＤＣ／ＤＣ変換回路６とをつなぐ直流電力線に
は太陽電池ストリング１の出力電圧（ＤＣ／ＤＣ変換回路６の入力電圧）を検出する電圧
センサ１３、太陽電池ストリング１の出力電流（ＤＣ／ＤＣ変換回路６の入力電流）を検
出する電流センサ１４が設けられている。尚、電流センサ１４には抵抗による電圧降下を
用いる方法や、この電圧降下による損失を考慮してホール素子等によるホール式の方法等
の汎用の方法を用いることができ限定されるものではない。
【００１３】
ＤＣ／ＤＣ変換回路７も同様に開閉スイッチ９、接続端子を介して太陽電池ストリング
２へ接続され、同様に電圧センサ１５、電流センサ１６を備えている。ＤＣ／ＤＣ変換回
路６、ＤＣ／ＤＣ変換回路７の出力は単一（共通）の直流ライン２３ａ、２３ｂに出力さ
れる。
【００１４】
太陽電池ストリング３の発電出力は開閉スイッチ１０を介して直流ライン２３ａ、２３
ｂに出力される。この発電電力は同様に電圧センサ１７、電流センサ１８で検出される。
尚、ダイオード１９は発電電力の逆流防止用である。
太陽電池ストリング４も同様に開閉スイッチ１１、ダイオード２２を介して直流ライン
２３ａ、２３ｂに接続され、同様に電圧センサ２０、電流センサ２１を備えている。
太陽電池ストリング１、太陽電池ストリング２に対応して２つのＤＣ／ＤＣ変換回路６
、ＤＣ／ＤＣ変換回路７を備えているが、ＤＣ／ＤＣ変換回路の数量はこれに限るもので
はなく、太陽電池ストリング１乃至太陽電池ストリング４の全てに対応してＤＣ／ＤＣ変
換回路を備えてもよい。また、太陽電池ストリング１にのみ対応させてＤＣ／ＤＣ変換回
路を備えてもよく、太陽電池ストリング１乃至太陽電池ストリング３に対応してＤＣ／Ｄ
Ｃ変換回路を備えてもよいものである。ＤＣ／ＤＣ変換回路が対応して設けられていない
太陽電池ストリングの発電電力は開閉スイッチ、ダイオードを介して直流ライン２３ａ、
２３ｂに接続される。
【００１５】
直流ライン２３ａ、２３ｂには同様の電圧センサ２４、電流センサ２５が設けられ、Ｄ
Ｃ／ＤＣ変換回路６の出力（太陽電池ストリング１の発電電力）、ＤＣ／ＤＣ変換回路７
の出力（太陽電池ストリング２の発電電力）、太陽電池ストリング３の発電電力、太陽電
池ストリング４の発電電力が出力され、これらの出力はこの直流ライン２３ａ、２３ｂ上
で一つにまとめられるものである。
【００１６】
２６は電力変換装置であり、電気機器５の直流ライン２３ａ、２３ｂの直流電力が接続
端子を介して供給され、ＤＣ／ＤＣ変換回路２７、ＤＣ／ＡＣ変換回路２８で系統２９と
連系可能な交流電力に変換された後、系統２９へ出力される。
【００１７】
図１に示した実施形態では、ＤＣ／ＤＣ変換回路６、ＤＣ／ＤＣ変換回路７を複数の太
陽電池ストリング１乃至太陽電池ストリング４のうち太陽電池ストリング１と太陽電池ス
トリング２に備え、ＤＣ／ＤＣ変換回路６、ＤＣ／ＤＣ変換回路７の出力を単一の直流ラ
イン２３ａ、２３ｂに出力すると共に、直流ライン２３ａ、２３ｂに出力されたＤＣ／Ｄ
Ｃ変換回路６、ＤＣ／ＤＣ変換回路７の出力を交流電力への変換に供せるように電力変換
装置２６へ出力している。
【００１８】
尚、太陽電池ストリング３、太陽電池ストリング４に対応するように夫々ＤＣ／ＤＣ変
換回路を備えれば、太陽電池で発電された直流電力を昇圧するＤＣ／ＤＣ変換回路を複数
の太陽電池ストリング１乃至太陽電池ストリング４それぞれ備えたことになる。このよう
な場合は、ＤＣ／ＤＣ変換回路６、ＤＣ／ＤＣ変換回路７、及び増設のＤＣ／ＤＣ変換回
路の出力を単一の直流ライン２３ａ、２３ｂに出力すると共に、直流ライン２３ａ、２３
ｂに出力されたＤＣ／ＤＣ変換回路６、ＤＣ／ＤＣ変換回路７、及び増設のＤＣ／ＤＣ変
換回路の出力を交流電力への変換に供せるように電力変換装置２６へ出力することになる
。
【００１９】
ＤＣ／ＤＣ変換回路６は太陽電池ストリング１で発電される発電電力が最大の値又は目
標とする値になるように昇圧比を変えるものである。昇圧の回路方式は限定されるもので
はなく、例えば、主にリアクタ、スイッチング素子、ダイオード、平滑用コンデンサを用
いた非絶縁のチョッピング方式、また主にスイッチング素子、絶縁トランス、整流回路、
コンデンサを用いた絶縁フォワード型などがある。さらにチャージポンプ型、フライバッ
ク型、共振型などを用いることも可能である。昇圧比の制御は制御部１２からの制御信号
に基づき行われる。図２はＤＣ／ＤＣ変換回路６の１例を示す説明図である。リアクトル
ＬＤ、スイッチング素子ＤＴ、ダイオードＤＤ、コンデンサＤＣをチョッパ型の昇圧回路
を構成するように結線したものである。Ｌ／Ｃはノイズフィルター回路である。
【００２０】
従って、制御部１２からの制御信号によりスイッチング素子ＤＴのオンデューティを可
変制御してＤＣ／ＤＣ変換回路６の直流出力、すなわち太陽電池ストリング１の発電電力
を日射量に対応した最大発電電力以下で任意に変更することができるものである。尚、Ｄ
Ｃ／ＤＣ変換回路７も同様に構成することができるので説明は省略する。
【００２１】
図１に示すＤＣ／ＡＣ変換回路２８は、直流電力を所定の周波数（例えば、系統２９と
連系する際は系統２９と同期する周波数、自立運転を行う際は５０Ｈｚ／６０Ｈｚのいず
れかの周波数）の交流電力に変換する電力変換回路である。例えば、ＰＷＭ（Ｐｕｌｓｅ
Ｗｉｄｔｈ  Ｍｏｄｕｌａｔｉｏｎ）方式に基づき、複数のスイッチング素子（半導体
など）のオンとオフのスイッチングを繰り返して疑似正弦波を生成した後フィルター回路
で高周波成分を除去または減衰させて交流電力を生成すものである。
【００２２】
図１に記載のＤＣ／ＡＣ変換回路２８はこのノイズフィルター回路Ｌ／Ｃを含めて表記
しているが、別体で表記してもよいものである。また、変換回路の構成としてはこのよう
なＰＷＭ方式に限らず、ＮＰＣ（Ｎｅｕｔｒａｌ  Ｐｏｉｎｔ  Ｃｌａｍｐｅｄ）方式に
よるインバータ、階調制御型インバータや、インバータブリッジ回路の出力側や入力側を
クランプしたものなどを用いてもよく、直流／交流の変換方式は限定されるものでない。
【００２３】
ＤＣ／ＡＣ変換回路２８は少なくとも、交流電力を出力すると共に、この交流電力の周
波数、ピーク電圧（実効値でもよい）、電圧と電流との位相差を制御できるものであれば
よい。ＤＣ／ＡＣ変換回路２８は電力変換装置２６の制御部からの制御信号に基づいてス
イッチング素子のオンデューティが制御される。
従って、電力変換装置２６のＤＣ／ＡＣ変換回路２８は直流ライン２３ａ、２３ｂから
供給される直流電力を交流電力に変換して系統２９へ供給するものであり、その交流電力
の変換量は直流ライン２３ａ、２３ｂの電圧とスイッチング素子のオンデューティで変更
することができる。
【００２４】
図３はＤＣ／ＡＣ変換回路２８の１例を示す説明図である。４個（三相交流電力を成す
場合は６個）のスイッチング素子Ｔ１乃至スイッチング素子Ｔ４を単相ブリッジ状（三相
交流電力の際は三相ブリッジ状）に結線したものである。この出力側にはリアクタＬＡと
コンデンサＣ１とから成るフィルター回路と、リアクタＬ１による回生電流を短絡させる
ために２個のスイッチング素子Ｔ５、スイッチング素子Ｔ６を直列に用いた出力クランプ
回路とが構成されている。
【００２５】
ＤＣ／ＡＣ変換回路６は、直流電力を交流電力へ変換するときはスイッチング素子Ｔ１
乃至スイッチング素子Ｔ４をＰＷＭ方式でオン／オフさせると共にスイッチング素子Ｔ５
、Ｔ６をリアクタＬＡからの回生電流に合わせオン／オフして行われる。
【００２６】
すなわち、ＤＣ／ＡＣ変換回路６は直流電力ライン４の直流電力を系統５と連系可能な
交流電力（または自立運転用の５０Ｈｚ／６０Ｈｚの交流電力）に変換するものである。
【００２７】
制御部１２の構成は、マイクロプロセッサ（一般的なマイコン）を単数／複数用いたも
の、またＤＳＰ（Ｄｉｇｉｔａｌ  Ｓｉｇｎａｌ  Ｐｒｏｃｅｓｓｏｒ）を中心に構成し
たものなどを用いることができ、その構成は限定されるものではない。制御部１２は主に
全体の動作を制御する部分と、ＤＣ／ＤＣ変換回路６、７の動作に係る制御を行う部分を
備えている。これらの  制御の部分は夫々が独立して構成される必要はなく、ソフトウェ
ア上でサブルーチンの集合体として構成されていればよいものである。
【００２８】
尚、電気機器５と電力変換装置２６とは別体で説明したが、これらは一体に構成するこ
とが可能である。この場合、ＤＣ／ＡＣ変換回路２８は制御部１２で制御すればよく、ま
たＤＣ／ＤＣ変換回路２７は省略可能である。
【００２９】
制御部１２は、ＤＣ／ＤＣ変換回路６の太陽電池ストリング１側の電気的な複数の入力
情報（電圧センサ１３による入力電圧、電流センサ１４による入力電流など）、及びＤＣ
／ＤＣ変換回路７の太陽電池ストリング２側の電気的な複数の入力情報（電圧センサ１５
による入力電圧、電流センサ１６による入力電流など）を入力し、これらの入力情報のう
ち少なくともいずれか１つの入力情報が当該入力情報毎に予め定められた値を超えた場合
に当該入力情報に対応する前記ＤＣ／ＤＣ変換回路の昇圧動作を停止させるものである。
尚、電圧センサ１７による入力電圧、電流センサ１８による入力電流、電圧センサ２０に
よる入力電圧、電流センサ２１による入力電流なども同時に入力するものである。
【００３０】
制御部１２の保護動作は、例えば、電圧センサ１３の検出する電圧が所定電圧Ａ（ＤＣ
／ＤＣ変換回路の設計に基づいて、例えば４００Ｖ〜５００Ｖの間の値）を超える状態を
ＡＡ秒間維持した場合にＤＣ／ＤＣ変換回路６の昇圧動作を停止する。また、例えば、電
圧センサ１３の検出する電圧が所定電圧Ｂ（ＤＣ／ＤＣ変換回路の設計に基づいて、例え
ば４００Ｖ〜５００Ｖの間の値であり所定電圧Ａより高い値）を超えた時は遅延すること
なくＤＣ／ＤＣ変換回路６の昇圧動作を停止する。
【００３１】
また、制御部１２の保護動作は、例えば、電流センサ１４の検出する電流が所定電流Ｃ
（ＤＣ／ＤＣ変換回路の設計に基づいて、例えば１０Ａ〜１３Ａの間の値）を超える状態
をＣＣ秒間維持した場合にＤＣ／ＤＣ変換回路６の昇圧動作を停止する。また、例えば、
電流センサ１４の検出する電流が所定電圧Ｄ（ＤＣ／ＤＣ変換回路の設計に基づいて、例
えば１０Ａ〜１３Ａの間の値であり所定電流Ｃより高い値）を超えた時は遅延することな
くＤＣ／ＤＣ変換回路６の昇圧動作を停止する。
【００３２】
また、制御部１２の保護動作は、例えば、電圧センサ１３の検出する電圧と電流センサ
１４の検出する電流との積（電力）が所定電力Ｅ（ＤＣ／ＤＣ変換回路の設計に基づいて
、例えば２ＫＷ〜３ＫＷの間の値）を超えた場合、ＤＣ／ＤＣ変換回路６の昇圧動作を制
御して所定電力Ｅより小さい所定電力Ｆに至る昇圧値を保ち、この後、この電力が所定電
力Ｆより小さい所定電力Ｇを下回った際にこの電力を抑制する保護動作は解除されるもの
である。
【００３３】
ＤＣ／ＤＣ変換回路６に対応する保護動作を説明したが、ＤＣ／ＤＣ変換回路７に対応
する電圧センサ１５、電流センサ１６等の入力情報に対しても同様の保護動作が行われる
ものである。
【００３４】
さらに制御部１２は、ＤＣ／ＤＣ変換回路６、ＤＣ／ＤＣ変換回路７の直流ライン２３
ａ、２３ｂへの出力に起因する電気的な複数の出力情報（電圧センサ２４の検出する電圧
値、電流センサ２５の検出する電流値、電気機器５内の温度を検知する温度センサ（図示
せず）など）のうち少なくともいずれか１つの出力情報が当該出力情報毎に予め定められ
た値を超えた場合にＤＣ／ＤＣ変換回路６、ＤＣ／変換回路７の全ての昇圧動作を停止さ
せる機能を備えるものである。
【００３５】
制御部１２の保護動作は、例えば、電圧センサ２４の検出する電圧が所定電圧Ｈ（ＤＣ
／ＤＣ変換回路の設計に基づいて、例えば４００Ｖ〜５００Ｖの間の値）を超える状態に
なった場合、ＤＣ／ＤＣ変換回路６、及びＤＣ／ＤＣ変換回路７の昇圧動作を停止する。
この停止は所定時間ＨＨの間維持され、この所定時間ＨＨの経過後にＤＣ／ＤＣ変換回路
６、及びＤＣ／ＤＣ変換回路７は再起動され、昇圧動作が再開される。
【００３６】
また、制御部１２の保護動作は、例えば、電流センサ２５の検出する電流が所定電流Ｉ
（ＤＣ／ＤＣ変換回路の設計に基づいて、例えば４０Ａ〜４５Ａの間の値）を超える状態
になった場合、ＤＣ／ＤＣ変換回路６、及びＤＣ／ＤＣ変換回路７の昇圧動作を停止する
。この停止は所定時間ＩＩの間維持され、この所定時間ＩＩの経過後にＤＣ／ＤＣ変換回
路６、及びＤＣ／ＤＣ変換回路７は再起動され、昇圧動作が再開される。
【００３７】
また、制御部１２の保護動作は、例えば、電気機器５内の温度を検知する温度センサ（
図示せず）の検出する温度が所定温度Ｊ（ＤＣ／ＤＣ変換回路の設計に基づいて、例えば
８５度〜９５度の間の値）を超える状態になった場合、ＤＣ／ＤＣ変換回路６、及びＤＣ
／ＤＣ変換回路７の昇圧動作を停止する。この停止は、温度センサが検出する温度が所定
温度Ｊより低い所定温度Ｋまで下がった後解除されＤＣ／ＤＣ変換回路６、及びＤＣ／Ｄ
Ｃ変換回路７は再起動される。すなわち、昇圧動作が再開される。
【００３８】
また、制御部１２の保護動作は、温度センサの温度情報の異常（温度を検出できない、
設定レンジを超えた値を検出するなど）を検知した場合はＤＣ／ＤＣ変換回路６、ＤＣ／
ＤＣ変換回路７の変換を停止する。
【００３９】
尚、制御部１２による保護動作はＤＣ／ＤＣ変換回路６、ＤＣ／ＤＣ変換回路７に対し
て行われるものであり、太陽電池ストリング３、太陽電池ストリング４の発電電力は、夫
々の開閉スイッチ３、開閉スイッチ４は閉じていれば、電力変換装置２６へ供給されるも
のである。また、電気機器５と電力変換装置２６とを一体に構成している場合は、必要に
応じてＤＣ／ＡＣ変換回路２８を停止するように構成すればよい。
このように太陽電池ストリング１、太陽電池ストリング２の発電電力の急変や異常には
ＤＣ／ＤＣ変換回路６、ＤＣ／ＤＣ変換回路７の入力電圧や入力電流等の電気的な入力情
報に基づいて、ＤＣ／ＤＣ変換回路６、ＤＣ／ＤＣ変換回路７の昇圧動作を速やかに停止
させるものである。この際、保護動作の必要がないＤＣ／ＤＣ変換回路はそのまま動作さ
せて太陽電池ストリングによる発電を維持することができるものである。
一方、直流ライン２３ａ、２３ｂの出力電圧や出力電流等の出力情報に生じた異常や電
気機器５内の温度異常や温度センサ異常のように機器に係る異常の際はＤＣ／ＤＣ変換回
路６、ＤＣ／ＤＣ変換回路７の昇圧動作を停止するものである。
【産業上の利用可能性】
【００４０】
本発明の電気機器は、複数の太陽電池ストリングの発電電力を昇圧するＤＣ／ＤＣ変換
回路を有する電気機器の保護動作に適用できるものである。
【００４１】
以上、本発明の一実施形態について説明したが、以上の説明は本発明の理解を容易にす
るためのものであり、本発明を限定するものではない。本発明はその趣旨を逸脱すること
なく、変更、改良され得ると共に本発明にはその等価物が含まれることは勿論である。
【符号の説明】
【００４２】
１〜４    太陽電池ストリング
６、７    ＤＣ／ＤＣ変換回路
１３、１５    電圧センサ
１２    制御部
１４、１６    電流センサ
２３ａ、２３ｂ    直流ライン
２４    電圧センサ
２５    電流センサ
２６    電力変換装置
２９    系統
【図１】
2018102080.tif 000003
【図２】
2018102080.tif 000004
【図３】
2018102080.tif 000005